(57)【要約】【課題】  遊技場における会員登録に必要な手間を大幅に省くこと。【解決手段】  会員遊技者を個々に識別可能な会員識別情報に対応付けて会員属性情報を記憶する会員情報記憶手段１２４を備える管理装置１２０と、各管理装置を集中管理するための集中管理装置１４０と、から成り、該集中管理装置１４０は、会員登録に必要な会員属性情報と、当該遊技者が会員登録を希望する遊技場を個々に特定可能な遊技場特定情報とを入力するための入力手段１４４と、該入力された会員属性情報と、当該会員属性情報に対応する会員識別情報とを含む会員登録情報を、前記入力された遊技場特定情報から特定される遊技場に設置されている前記管理装置１２０に配信する登録情報配信手段１４８と、を備え、前記会員情報記憶手段１２４は、前記登録情報配信手段１４８から配信された会員登録情報の受信に基づいて、該受信した会員登録情報に含まれる会員識別情報と会員属性情報とを対応付けて記憶する。【選択図】    図１０
2005080744.tif 000002
【特許請求の範囲】
【請求項１】
各遊技場に設けられ、会員遊技者を個々に識別可能な会員識別情報に対応付けて会員遊技者に関する会員属性情報を記憶する会員情報記憶手段を備える管理装置と、
各遊技場に設けられた前記管理装置を集中管理するための集中管理装置と、
から成り、
前記集中管理装置は、
会員登録に必要な会員属性情報と、遊技者が会員登録を希望する遊技場を個々に特定可能な遊技場特定情報とを入力するための入力手段と、
該入力手段にて入力された会員属性情報と、当該会員属性情報に対応する会員識別情報とを含む会員登録情報を、該会員属性情報に対応して入力された遊技場特定情報から特定される遊技場に設置されている前記管理装置に配信する登録情報配信手段と、
を備え、
前記会員情報記憶手段は、前記登録情報配信手段から配信された会員登録情報の受信に基づいて、該受信した会員登録情報に含まれる会員識別情報と会員属性情報とを対応付けて記憶することを特徴とする遊技用システム。
【請求項２】
前記会員識別情報が記録された会員用記録媒体或いは該会員用記録媒体の代用となる仮会員用記録媒体の記録情報を読み出し、該読み出した記録情報に基づいた処理を行う遊技用装置を備え、
前記管理装置は、
前記仮会員用記録媒体を個々に識別可能な仮会員識別情報を前記会員情報記憶手段に登録する登録手段と、
該登録手段により前記仮会員識別情報が前記会員情報記憶手段に登録されていることを条件に、当該仮会員識別情報が記録されている前記仮会員用記録媒体の前記遊技用装置における使用を許容する使用許容手段と
を備えることを特徴とする請求項１に記載の遊技用システム。
【請求項３】
前記会員情報記憶手段は、前記仮会員用記録媒体が前記遊技用装置にて使用されたことに関連して発生する遊技関連情報を前記仮会員識別情報に対応付けて記憶し、
前記入力手段は、前記会員識別情報に対応付けて該遊技者に発行された前記仮会員用記録媒体に記録されている仮会員識別情報をさらに入力可能とされ、
前記登録情報配信手段は、前記入力手段にて入力された仮会員識別情報をさらに含む前記会員登録情報を配信し、
前記会員情報記憶手段は、前記登録手段により既に登録されている仮会員識別情報のうち、前記登録情報配信手段から配信された会員登録情報に含まれる仮会員識別情報に対応付けて記憶している前記遊技関連情報と、該配信された会員登録情報に含まれる会員識別情報と会員属性情報とを対応付けて記憶することを特徴とする請求項２に記載の遊技用システム。
【請求項４】
前記管理装置は、前記登録手段により前記会員情報記憶手段に登録された仮会員識別情報と、前記会員登録情報に含まれる仮会員識別情報とが一致しないときに、当該仮会員識別情報が一致しない旨の不一致通知を前記集中管理装置に送信する通知手段を備えることを特徴とする請求項３に記載の遊技用システム。
【請求項５】
前記使用許容手段は、前記仮会員識別情報に対応する会員識別情報が前記会員情報記憶手段に記憶されていても、予め定められた所定条件が成立するまでの間において、当該仮会員識別情報が記録された前記仮会員用記録媒体の前記遊技用装置における使用を許容することを特徴とする請求項２〜４のいずれかに記載の遊技用システム。
【請求項６】
前記予め定められた所定条件は、前記遊技用装置に前記仮会員識別情報に対応する会員識別情報が記録された会員用記録媒体を受付けることを含むことを特徴とする請求項５に記載の遊技用システム。
【請求項７】
前記遊技用装置は、受付けた前記仮会員用記録媒体から仮会員識別情報を読み出し、該読み出した仮会員識別情報を前記管理装置に送信し、
前記管理装置は、
前記遊技用装置から前記仮会員識別情報を受信したことに基づいて、該受信した仮会員識別情報に対応して会員識別情報が記憶されているか否かを判定する判定手段と、
該判定手段によって会員識別情報が記憶されていると判定されたことを条件として、既に会員識別情報が記憶されていることを特定可能な情報を前記仮会員識別情報の送信元の遊技用装置に対して送信する登録済通知送信手段と、
を備え、
前記遊技用装置は、前記登録済通知送信手段から送信される既に会員識別情報が登録されていることを特定可能な情報の受信に基づいて、前記会員用記録媒体の使用を勧める旨を報知するための報知手段を備えることを特徴とする請求項２〜６のいずれかに記載の遊技用システム。
【請求項８】
前記集中管理装置は、
遊技場に配送される前記仮会員用記録媒体に記録されている仮会員識別情報と、当該遊技場の遊技場特定情報とを入力するための発送情報入力手段と、
該発送情報入力手段にて入力された仮会員識別情報を、当該仮会員識別情報とともに入力された遊技場特定情報から特定される遊技場に設置されている前記管理装置に配信する仮会員識別情報配信手段と、
を備え、
前記登録手段は、前記仮会員識別情報配信手段から仮会員識別情報を受信したことに基づいて、該受信した仮会員識別情報を前記会員情報記憶手段に登録することを特徴とする請求項２〜７のいずれかに記載の遊技用システム。
【請求項９】
前記会員用記録媒体を受付けて該受付けた会員用記録媒体から記録情報を読み出し、該読み出した記録情報に基づいた処理を行うとともに、該会員用記録媒体から読み出した前記会員識別情報を前記管理装置に対して送信する遊技用装置を備え、
前記管理装置は、
前記遊技用装置から送信される会員識別情報を受信したことに基づいて、前記会員情報記憶手段に該受信した会員識別情報が記憶されているか否かの照合を行う会員識別情報照合手段と、
該会員識別情報照合手段において会員識別情報の照合が得られないことを条件に、該会員識別情報並びに該会員識別情報に対応する会員属性情報の配信を要求する旨を含む会員属性情報配信要求を前記集中管理装置に対して送信する会員属性情報配信要求送信手段と、
を備えることを特徴とする請求項１〜８のいずれかに記載の遊技用システム。
【請求項１０】
前記集中管理装置は、
通信回線網を介して接続された遊技者側の情報端末から、前記会員識別情報と会員属性情報の変更内容とを受け付ける変更受付手段と、
該変更受付手段にて受け付けた前記会員識別情報と前記会員属性情報の変更内容とを含む変更情報を、前記変更受付手段にて受け付けた前記会員識別情報に対応付けられた遊技場を個々に識別可能な遊技場特定情報から特定される遊技場に設置されている管理装置に配信する変更情報配信手段と、
を備え、
前記管理装置は、前記集中管理装置から配信された変更情報の受信に基づいて、該変更情報に含まれる会員識別情報に対応して前記会員情報記憶手段に記憶されている会員属性情報を、該変更情報に含まれる会員属性情報の変更内容に応じて変更する会員属性情報変更手段を備えることを特徴とする請求項１〜９のいずれかに記載の遊技用システム。
【発明の詳細な説明】
【技術分野】
【０００１】
本発明は、会員登録を実施した会員遊技者に関する情報の管理やサービスの提供を行うための遊技用システムに関する。
【背景技術】
【０００２】
従来において、会員登録を実施した会員遊技者に関する情報の管理やサービスの提供を行うための遊技用システムにおいては、遊技者が会員登録を希望する場合、遊技場の従業員が遊技場に設けられた端末により、会員登録を希望する遊技者の会員登録に必要な会員属性情報を入力して会員登録を実施している（例えば、特許文献１参照）。
【０００３】
【特許文献１】特開平１０−１４３４９２号公報（第３頁、第６図）
【発明の開示】
【発明が解決しようとする課題】
【０００４】
しかしながら、特許文献１にあっては、各遊技場において会員登録を希望する遊技者の会員登録に必要な会員属性情報を入力しなけらればならず、これらの入力作業に手間がかかることが、これら会員遊技者用の遊技用システムを導入する上での障害の１つとなっていた。
【０００５】
本発明は、このような問題点に着目してなされたもので、会員登録に必要な手間を大幅に省くことができ、会員遊技者用の遊技用システムの導入を促進することのできる遊技用システムを提供することを目的とする。
【課題を解決するための手段】
【０００６】
上記の目的を解決するために、本発明の請求項１の遊技用システムは、
各遊技場に設けられ、会員遊技者を個々に識別可能な会員識別情報に対応付けて会員遊技者に関する会員属性情報を記憶する会員情報記憶手段を備える管理装置と、
各遊技場に設けられた前記管理装置を集中管理するための集中管理装置と、
から成り、
前記集中管理装置は、
会員登録に必要な会員属性情報と、遊技者が会員登録を希望する遊技場を個々に特定可能な遊技場特定情報とを入力するための入力手段と、
該入力手段にて入力された会員属性情報と、当該会員属性情報に対応する会員識別情報とを含む会員登録情報を、該会員属性情報に対応して入力された遊技場特定情報から特定される遊技場に設置されている前記管理装置に配信する登録情報配信手段と、
を備え、
前記会員情報記憶手段は、前記登録情報配信手段から配信された会員登録情報の受信に基づいて、該受信した会員登録情報に含まれる会員識別情報と会員属性情報とを対応付けて記憶することを特徴としている。
この特徴によれば、前記集中管理装置を運営する、例えばカード管理会社において、前記入力手段から入力された会員属性情報が、各遊技場に設けられている管理装置に配信されて前記会員情報記憶手段に記憶されるようになるため、これら会員属性情報を各遊技場において入力する必要がなく、よって会員登録に必要な各遊技場の手間を大幅に省くことができ、会員遊技者用の遊技用システムの導入を促進することができる。
【０００７】
本発明の請求項２項の遊技用システムは、請求項１に記載の遊技用システムであって、
前記会員識別情報が記録された会員用記録媒体或いは該会員用記録媒体の代用となる仮会員用記録媒体の記録情報を読み出し、該読み出した記録情報に基づいた処理を行う遊技用装置を備え、
前記管理装置は、
前記仮会員用記録媒体を個々に識別可能な仮会員識別情報を前記会員情報記憶手段に登録する登録手段と、
該登録手段により前記仮会員識別情報が前記会員情報記憶手段に登録されていることを条件に、当該仮会員識別情報が記録されている前記仮会員用記録媒体の前記遊技用装置における使用を許容する使用許容手段と
を備えることを特徴としている。
この特徴によれば、会員登録を希望する遊技者に、正規の会員用記録媒体が発行されるまでの期間において、会員用記録媒体の代用となる仮会員用記録媒体の遊技用装置における使用が使用許容手段にて許容されることで、遊技者は該仮会員用記録媒体を遊技用装置にて使用することができるようになり、会員用記録媒体を使用することで利用可能となる会員サービスを、仮会員用記録媒体を用いてすぐに利用できる。
【０００８】
本発明の請求項３項の遊技用システムは、請求項２に記載の遊技用システムであって、
前記会員情報記憶手段は、前記仮会員用記録媒体が前記遊技用装置にて使用されたことに関連して発生する遊技関連情報を前記仮会員識別情報に対応付けて記憶し、
前記入力手段は、前記会員識別情報に対応付けて該遊技者に発行された前記仮会員用記録媒体に記録されている仮会員識別情報をさらに入力可能とされ、
前記登録情報配信手段は、前記入力手段にて入力された仮会員識別情報をさらに含む前記会員登録情報を配信し、
前記会員情報記憶手段は、前記登録手段により既に登録されている仮会員識別情報のうち、前記登録情報配信手段から配信された会員登録情報に含まれる仮会員識別情報に対応付けて記憶している前記遊技関連情報と、該配信された会員登録情報に含まれる会員識別情報と会員属性情報とを対応付けて記憶することを特徴としている。
この特徴によれば、前記会員情報記憶手段に、前記仮会員用記録媒体が前記遊技用装置にて使用されたことにより発生する遊技関連情報が、会員識別情報に対応付けて引き継いで管理される為、仮会員用記録媒体を使用した期間に発生した遊技関連情報についても、漏れなく管理することができる。
【０００９】
本発明の請求項４項の遊技用システムは、請求項３に記載の遊技用システムであって、
前記管理装置は、前記登録手段により前記会員情報記憶手段に登録された仮会員識別情報と、前記会員登録情報に含まれる仮会員識別情報とが一致しないときに、当該仮会員識別情報が一致しない旨の不一致通知を前記集中管理装置に送信する通知手段を備えることを特徴としている。
この特徴によれば、仮会員識別情報が一致しない旨を示す不一致通知が集中管理装置に送信されることから、例えば誤った入力があったことを集中管理装置にて把握でき、迅速な対応を取ることができる。
【００１０】
本発明の請求項５項の遊技用システムは、請求項２〜４のいずれかに記載の遊技用システムであって、
前記使用許容手段は、前記仮会員識別情報に対応する会員識別情報が前記会員情報記憶手段に記憶されていても、予め定められた所定条件が成立するまでの間において、当該仮会員識別情報が記録された前記仮会員用記録媒体の前記遊技用装置における使用を許容することを特徴としている。
この特徴によれば、予め定められた所定条件が成立するまでの間、仮会員用記録媒体を遊技用装置にて使用できるため、仮会員用記録媒体から正規の会員用記録媒体への切換に伴うトラブルを低減できる。
【００１１】
本発明の請求項６項の遊技用システムは、請求項５に記載の遊技用システムであって、
前記予め定められた所定条件は、前記遊技用装置に前記仮会員識別情報に対応する会員識別情報が記録された会員用記録媒体を受付けることを含むことを特徴としている。
この特徴によれば、遊技者が会員用記録媒体を所持していることを確実に把握して、仮会員用記録媒体の遊技用装置での使用を不可とするため、仮会員用記録媒体から正規の会員用記録媒体への切換に伴うトラブルをより一層低減できる。
【００１２】
本発明の請求項７項の遊技用システムは、請求項２〜６のいずれかに記載の遊技用システムであって、
前記遊技用装置は、受付けた前記仮会員用記録媒体から仮会員識別情報を読み出し、該読み出した仮会員識別情報を前記管理装置に送信し、
前記管理装置は、
前記遊技用装置から前記仮会員識別情報を受信したことに基づいて、該受信した仮会員識別情報に対応して会員識別情報が記憶されているか否かを判定する判定手段と、
該判定手段によって会員識別情報が記憶されていると判定されたことを条件として、既に会員識別情報が記憶されていることを特定可能な情報を前記仮会員識別情報の送信元の遊技用装置に対して送信する登録済通知送信手段と、
を備え、
前記遊技用装置は、前記登録済通知送信手段から送信される既に会員識別情報が登録されていることを特定可能な情報の受信に基づいて、前記会員用記録媒体の使用を勧める旨を報知するための報知手段を備えることを特徴としている。
この特徴によれば、遊技者に、既に会員用記録媒体が発行されている可能性があることを認識させることができる。
【００１３】
本発明の請求項８項の遊技用システムは、請求項２〜７のいずれかに記載の遊技用システムであって、
前記集中管理装置は、
遊技場に配送される前記仮会員用記録媒体に記録されている仮会員識別情報と、当該遊技場の遊技場特定情報とを入力するための発送情報入力手段と、
該発送情報入力手段にて入力された仮会員識別情報を、当該仮会員識別情報とともに入力された遊技場特定情報から特定される遊技場に設置されている前記管理装置に配信する仮会員識別情報配信手段と、
を備え、
前記登録手段は、前記仮会員識別情報配信手段から仮会員識別情報を受信したことに基づいて、該受信した仮会員識別情報を前記会員情報記憶手段に登録することを特徴としている。
この特徴によれば、遊技場に配送される仮会員用記録媒体に記録されている仮会員識別情報を、遊技場において入力する手間を省くことができ、これら仮会員用記録媒体を使用する本システムの導入を更に促進することができる。
【００１４】
本発明の請求項９項の遊技用システムは、請求項１〜８のいずれかに記載の遊技用システムであって、
前記会員用記録媒体を受付けて該受付けた会員用記録媒体から記録情報を読み出し、該読み出した記録情報に基づいた処理を行うとともに、該会員用記録媒体から読み出した前記会員識別情報を前記管理装置に対して送信する遊技用装置を備え、
前記管理装置は、
前記遊技用装置から送信される会員識別情報を受信したことに基づいて、前記会員情報記憶手段に該受信した会員識別情報が記憶されているか否かの照合を行う会員識別情報照合手段と、
該会員識別情報照合手段において会員識別情報の照合が得られないことを条件に、該会員識別情報並びに該会員識別情報に対応する会員属性情報の配信を要求する旨を含む会員属性情報配信要求を前記集中管理装置に対して送信する会員属性情報配信要求送信手段と、
を備えることを特徴としている。
この特徴によれば、会員識別情報の照合が得られないときには、管理装置から集中管理装置に対して会員属性情報配信要求が送信されることで、集中管理装置側において会員属性情報の入力漏れの有無等を遅滞なく確認できるようになる。
【００１５】
本発明の請求項１０項の遊技用システムは、請求項１〜９のいずれかに記載の遊技用システムであって、
前記集中管理装置は、
通信回線網を介して接続された遊技者側の情報端末から、前記会員識別情報と会員属性情報の変更内容とを受け付ける変更受付手段と、
該変更受付手段にて受け付けた前記会員識別情報と前記会員属性情報の変更内容とを含む変更情報を、前記変更受付手段にて受け付けた前記会員識別情報に対応付けられた遊技場を個々に識別可能な遊技場特定情報から特定される遊技場に設置されている管理装置に配信する変更情報配信手段と、
を備え、
前記管理装置は、前記集中管理装置から配信された変更情報の受信に基づいて、該変更情報に含まれる会員識別情報に対応して前記会員情報記憶手段に記憶されている会員属性情報を、該変更情報に含まれる会員属性情報の変更内容に応じて変更する会員属性情報変更手段を備えることを特徴としている。
この特徴によれば、遊技者から当該遊技者の会員属性情報の変更を直接受付けることができるようになるため、集中管理装置にて会員属性情報の変更内容を入力する手間を省くことができるとともに、入力ミスも低減でき、更には、遊技者の利便性を高めることができる。
【発明を実施するための最良の形態】
【００１６】
本発明の実施例を以下に説明する。
【００１７】
図１は本実施例における遊技用システムの構成を示す図であり、この遊技用システムは、遊技場において複数配置された遊技島に並設される遊技機としてのカードリーダ式パチンコ機（以下パチンコ機）２に対して１対１に設置される遊技用装置としてのカードユニット３と、遊技場の所定箇所に設置され、会員カード並びに仮会員カードを所有する会員遊技者に関する情報の管理等を行う会員管理コンピュータ１２０と、カードユニット３にて使用される会員カード並びにビジターカードの管理等を行うシステムコントローラ１００と、カード管理会社に設置された管理サーバ１４０並びにサイトサーバ１４とから主に構成されている。
【００１８】
カードユニット３は、対応するパチンコ機２と直接、及び中継端末４を介して接続されており、カードユニット３と対応するパチンコ機２との間で各種信号の送受が可能とされているとともに、対応するパチンコ機２等から出力された各種遊技情報を示す信号が中継端末４を介して対応するカードユニット３に入力されるようになっている。（図３参照）
【００１９】
また、各カードユニット３は、システムコントローラ１００並びに会員管理コンピュータ１２０とハブ（ＨＵＢ）８’（図３参照）並びに通信ケーブル８を介して双方向のデータ通信可能に接続されていて、各接続機器にはそれぞれローカルＩＰアドレスが付与されてローカルエリアネットワーク（ＬＡＮ）が形成されている。また、システムコントローラ１００は通信回線１１を介してカード管理会社に設置された管理サーバ１４０とデータ通信可能に接続されており、システムコントローラ１００にて収集、管理されている当該遊技場におけるプリペイド度数の使用や入金等の営業情報が管理サーバ１４０に送信されるとともに、管理サーバ１４０からの運用情報がシステムコントローラ１００に送信されるようになっている。
【００２０】
また、管理サーバ１４０にはオープンコンピュータネットワークであるインターネット網を介して接続された会員遊技者の情報端末であるパソコン１５から、登録情報の変更受付けを実施するためのサイトを成すサイトサーバ１４が接続されており、該サイトサーバ１４にて受付けた各情報が管理サーバ１４０に送信される。
【００２１】
まず、本実施例に用いた会員用記録媒体である会員カードについて説明すると、該会員カードは、略長方形のカード型に形成された非接触ＩＣカードとされており、該会員カードに搭載されている集積回路の内部メモリには、各会員カードを個別に識別可能とする会員カードＩＤと、該会員カードが使用される遊技場を個々に特定可能な遊技場特定情報である遊技場ＩＤが書き換え不可に記録されているとともに、後述する追加入金処理の際に付与される入金ＩＤや遊技用価値情報としての度数等の情報が書き換え可能に記録されている。そして、その一面には、磁気記録が可能な磁気ストライプが設けられており、該磁気ストライプには、当該会員カードの発行を受ける会員を個別に識別可能とされた会員識別情報である会員ＩＤが読み取り可能に記録されているとともに、該磁気ストライプが設けられていない会員カードの他方の面には、磁気ストライプに記録された会員ＩＤと、集積回路の内部メモリに記録された遊技場ＩＤが目視可能に印字されている。尚、本実施例に用いたビジターカードもその各辺の長さが前記会員カードの各辺の長さより若干短い略長方形の非接触ＩＣカードとされている。
【００２２】
また、本実施例に用いた仮会員用記録媒体である仮会員カードについて説明すると、その形状は前記会員カードと同一とされているが、その内部には集積回路を有しない磁気カードとされており、その一面に設けられた磁気ストライプには、仮会員識別情報である仮会員ＩＤが読み取り可能に記録されている。
【００２３】
次いで、本実施例の遊技用装置であるカードユニット３について説明すると、本実施例のカードユニット３の前面には、図２に示すように、各種表示部と紙幣挿入口３０２、硬貨投入口３０３、硬貨返却ボタン３０４、突出部３０５、硬貨返却口３０８、会員カード挿入口３０９、ビジターカード装着口３１０が設けられている。
【００２４】
カードユニット３の前面に設けられた会員カード挿入口３０９とビジターカード装着口３１０とは、遊技者から見て左右方向に並設配置されている。会員カード挿入口３０９は、内蔵されるカードリーダライタ３２７（図３参照）の会員カードスロット（図示略）に連設されており、この会員カード挿入口３０９を介して会員カード或いは仮会員カードを会員カードスロットに挿入可能とされている。また、ビジターカード装着口３１０は、カードリーダライタ３２７のビジターカード収容室（図示略）に連設されており、このビジターカード装着口３１０を介してビジターカードをビジターカード収容室に装着可能とされている。
【００２５】
カードユニット３の前面には、前方に突出する態様にて突出部３０５が設けられている。突出部３０５において、遊技者側に向けられた面には、表示部３１２と、メインメニュー画面を表示させるためのメニュースイッチ３１６と、データ画面（図示略）を表示させるためのデータスイッチ３１８と、遊技者が後述する貯蓄玉数を用いた再プレイ遊技を実施するための再プレイスイッチ３１９と、再プレイスイッチ３１９の操作が有効であることを報知するための再プレイ表示部３２０とが設けられている。
【００２６】
図３は、カードユニット３の構成を示すブロック図である。カードユニット３は、カードリーダライタ３２７と、表示制御基板３２９と、制御ユニット３２８と、から主に構成されており、カードリーダライタ３２７及び表示制御基板３２９は、制御ユニット３２８と接続され、各種データの送受が可能とされている。
【００２７】
カードリーダライタ３２７は、会員カードや仮会員カードの磁気ストライプに記録されている遊技場ＩＤと会員ＩＤまたは仮会員ＩＤの読み出しを行うとともに、会員カードやビジターカードの集積回路に記録（記憶）されている（会員）カードＩＤや入金ＩＤや度数等の記録情報の読み出し並びに書き込みを行うとともに、ＨＵＢ８’を介してシステムコントローラ１００とデータ通信可能に接続されており、挿入された会員カードに記録された会員カードＩＤによる認証や度数の確認等をシステムコントローラ１００との間で行う。
【００２８】
表示制御基板３２９には、前述した液晶表示器３１３、タッチパネル３１４、各種スイッチ類（メニュースイッチ３１６ａ、データスイッチ３１８ａ、再プレイスイッチ３１９ａ）や前述した再プレイ表示部３２０内に設けられた再プレイＬＥＤ３２０ａ等の電子部品が接続されている。
【００２９】
表示制御基板３２９に接続されている電子部品のうちタッチパネル３１４、各種スイッチ類（メニュースイッチ３１６ａ、データスイッチ３１８ａ、再プレイスイッチ３１９ａ）は、表示制御基板３２９を介して制御ユニット３２８に接続されており、タッチパネル３１４による位置検出情報や各スイッチの検出信号が制御ユニット３２８に入力される。また、再プレイＬＥＤ３２０ａも、表示制御基板３２９を介して制御ユニット３２８に接続されており、その点灯制御が制御ユニット３２８により行われる。
【００３０】
また、表示制御基板３２９は、液晶表示器３１３の表示駆動を行う表示駆動回路や、前記タッチパネル３１４からの出力信号に基づいて押圧操作された位置を特定して該特定した入力位置情報を出力する入力位置検出回路や、表示駆動回路の表示処理や画像合成処理に使用されるＶＲＡＭや、各種スイッチが接続されてスイッチからの信号が入力されるＩ／Ｏポートを含み、制御ユニット３２８から出力された各種画面等の表示データを液晶表示器３１３に表示する制御を行う。
【００３１】
制御ユニット３２８には、表示制御基板３２９を介して接続されたスイッチや表示器等の電子部品に加えて、紙幣識別ユニット３２１、硬貨識別ユニット３２２が接続されている。
【００３２】
紙幣識別ユニット３２１は、紙幣挿入口３０２に投入された紙幣を取り込んでその真贋や紙幣種別の識別を行う。また、硬貨識別ユニット３２２は、硬貨投入口３０３より投入された硬貨の真贋並びに硬貨種別の識別を行う。
【００３３】
また、制御ユニット３２８には、特に図示しないが、接続されたパチンコ機２に設けられ、パチンコ玉の貸出に使用できる度数（遊技用価値）を表示する度数表示器や、パチンコ玉の貸出を行う際に操作される貸出ボタンの操作を検知する貸出スイッチ、受付け中の会員カードを返却させる際に操作される返却ボタンの操作を検知する返却スイッチが接続されている。
【００３４】
制御ユニット３２８は、各種スイッチの検出信号やタッチパネル３１４の位置検出情報、紙幣識別ユニット３２１や硬貨識別ユニット３２２による識別信号等を受けて、制御ユニット３２８に接続されているＬＥＤ、カードリーダライタ３２７、表示制御基板３２９の制御等、全体の動作制御、並びに遊技使用処理としての後述する玉貸処理や、再使用処理としての払戻処理等の各種処理を実行する。
【００３５】
また、制御ユニット３２８は、通信部３３４並びにＨＵＢ８’を介して会員管理コンピュータ１２０とデータ通信可能に接続されており、各種データの送受が可能とされている。また、対応するパチンコ機２と接続されており、各種信号の送受が実施可能とされている。
【００３６】
この本実施例のカードユニット３において実施される各処理内容について説明すると、まず、カードユニット３は、会員カード挿入口３０９に挿入された仮会員カードまたは会員カードに対して利用の可／不可を判別する受付処理を行う。
【００３７】
また、受付処理において受付けられた会員カードより読み出された度数が残存する場合であって、パチンコ機２に備えられる貸出ボタンの操作が検出された場合に、対応するパチンコ機２に対して貸出要求を出力し、パチンコ玉の貸出を実施させる貸出処理を行う。
【００３８】
また、会員カードが受付中でかつ残存する度数が０度の場合であって、紙幣（１０００円紙幣、２０００円紙幣、５０００円紙幣、１００００円紙幣）または硬貨（１００円硬貨、５００円硬貨）が挿入または投入されて識別された場合に、この識別された金額に相当する度数を、受付けられている会員カードより読み出された度数に加算する追加入金処理を行う。
【００３９】
また、会員カード或いは仮会員カードが受付けられていない場合に低額紙幣（１０００円紙幣）または硬貨（１００円硬貨、５００円硬貨）が挿入または投入されて識別された場合に、この識別された金額に相当する度数をビジターカード装着口３１０に装着されているビジターカードに記録した後、この記録した度数の全てを使用して、対応するパチンコ機２に対して貸出要求を出力し、パチンコ玉の貸出を実施させる発行貸出処理を行う。
【００４０】
また、会員カード或いは仮会員カードの受付け中において、会員遊技者が以前の遊技にて貯蓄した貯蓄玉数を、会員管理コンピュータ１２０から入手し、この入手した貯蓄玉数を使用して、対応するパチンコ機２に対して払戻要求を出力し、所定数のパチンコ玉の払い戻しを実施させる払戻処理を行う。
【００４１】
また、カードユニット３と１対１に並設されたパチンコ機２が備える返却ボタンが遊技者により操作された場合に、受付け中の会員カードまたは仮会員カードの返却を実施させる返却処理を行う。
【００４２】
次いで、本発明における管理装置である会員管理コンピュータ１２０について説明すると、会員管理コンピュータ１２０は、図４に示すように、コンピュータ内部にてデータの送受を行うデータバス１２１に、該会員管理コンピュータ１２０が実施する後述する会員情報テーブルの更新処理（仮会員ＩＤの登録を含む）、前記会員情報テーブルにて管理されている貯蓄玉数の再使用に関する処理等を行うＣＰＵ１２２、処理時の一時記憶領域等として使用されるＲＡＭ１２３、磁気ディスクや光磁気ディスクから成る記憶装置１２４、キーボードやマウス等の入力装置１２５、各種情報を表示出力する表示装置１２６、各種情報をプリント出力するプリンタ１２７、カードユニット３やシステムコントローラ１００とのデータ通信を行う通信部１２８、が接続された通常のコンピュータである。
【００４３】
また、記憶装置１２４には、会員管理コンピュータ１２０の処理を実施するための処理プログラムに加えて、会員登録を申し込んだ会員遊技者に関する会員属性情報を含む会員関連情報が登録（記憶）される会員情報テーブル（図５参照）が記憶されている。
【００４４】
本実施例の会員情報テーブルには、図５に示すように、各仮会員ＩＤに対応付けて、当該仮会員ＩＤが記録された仮会員カードを所持する会員登録申込者に対して発行される会員カードに記録され会員ＩＤと会員カードＩＤとともに、貯蓄玉数、本人確認に使用される暗証番号、その時点の来店ポイント数、会員の氏名（名字並びに名前）、性別、年齢、誕生日、職業、住所、電子メールアドレスからなる会員属性情報と、仮会員カードの使用可否と、会員ＩＤと会員属性情報の登録状況（登録済みであれば「既」が、未登録であれば「未」が登録される）と、会員ＩＤと会員属性情報の登録日と、から構成される会員関連情報が登録されている。
【００４５】
また、本実施例の会員管理コンピュータ１２０のＣＰＵ１２２は、前記処理プログラムに基づいて、前記管理サーバ１４０から送信されてくる後述する発送情報に含まれる仮会員ＩＤを会員情報テーブルに登録するとともに、当該登録された仮会員ＩＤに対応する「仮カード」の項目に「使用可」を登録することで、仮会員用記録媒体である仮会員カードの前記遊技用装置であるカードユニット３における使用を可能とする登録処理を実施する。
【００４６】
また、本実施例の会員管理コンピュータ１２０のＣＰＵ１２２は、前記処理プログラムに基づいて、カードユニット３から送信される後述する会員カード受付け通知に含まれる会員ＩＤに一致する会員ＩＤの登録が会員情報テーブルに存在するか否かを照合判定する照合判定処理を行い、該照合判定処理において一致する会員ＩＤの登録がないとの判定である場合に、当該会員ＩＤに対応する会員属性情報を含む会員登録情報の配信を要求する会員属性情報配信要求を前記カード管理会社に対して送信する会員属性情報配信要求送信処理を実施する。
【００４７】
また、本実施例の会員管理コンピュータ１２０のＣＰＵ１２２は、前記処理プログラムに基づいて、カードユニット３から送信される後述する会員カード受付け通知に含まれる会員ＩＤに対応して会員情報テーブルに記憶されている「仮カード」の登録内容が「使用可」である場合に、当該登録内容を「使用不可」に更新する仮会員カード使用不可処理を実施することで、新規会員登録者が正規の会員カードをカードユニット３に挿入することで、それまで使用可能とされていた仮会員カードの使用が不可とされる。更に、ＣＰＵ１２２は、会員情報テーブルに記憶されている登録日から所定期間、例えば１ヶ月を経過した場合には、該所定期間を経過した登録の「仮カード」の登録内容を「使用可」から「使用不可」に更新することで、当該登録に対応する仮会員ＩＤが記録された仮会員カードの使用を不可とする。
【００４８】
また、本実施例の会員管理コンピュータ１２０のＣＰＵ１２２は、前記処理プログラムに基づいて、カードユニット３から送信される後述する仮会員カード受付け通知に含まれる仮会員ＩＤに一致する仮会員ＩＤの登録が会員情報テーブルにある場合であって、当該仮会員ＩＤに対応する「仮カード」の登録内容が「使用可」である場合に、当該仮会員カードの使用可能と判定して、該判定結果をシステムコントローラ３に返信することで、該仮会員カードの使用を許容する使用許容処理を実施する。
【００４９】
また、本実施例の会員管理コンピュータ１２０のＣＰＵ１２２は、前記処理プログラムに基づいて、カードユニット３から送信される後述する仮会員カード受付け通知に含まれる仮会員ＩＤに対応して会員ＩＤが記憶されているか否かを、当該仮会員ＩＤに対応する登録状況の項目の登録内容に基づいて判定する登録状況判定処理を実施するとともに、該登録状況判定処理において仮会員ＩＤに対応して会員ＩＤが記憶されているとの判定結果である場合には、当該カードユニット３に対して会員カードの使用を喚起するための使用喚起メッセージを表示させる報知通知を送信する報知通知送信処理を行う。
【００５０】
また、本実施例の会員管理コンピュータ１２０のＣＰＵ１２２は、前記処理プログラムに基づいて、前記管理サーバ１４０から送信されてくる後述する会員登録情報に含まれる仮会員ＩＤと前記登録処理にて会員情報テーブルに既に登録されている仮会員ＩＤとが一致するか否かを判定する判定処理を実施するとともに、該判定処理において仮会員ＩＤが一致しない場合には、一致しない旨の不一致通知を前記管理サーバ１４０に対して送信する通知処理を実施する。
【００５１】
また、本実施例の会員管理コンピュータ１２０のＣＰＵ１２２は、前記処理プログラムに基づいて、前記管理サーバ１４０から送信されてくる後述する変更情報の受信に基づいて、会員情報テーブルの登録情報の変更を行う変更処理を実施する。
【００５２】
次いで、本発明における集中管理装置である管理サーバ１４０の構成について説明すると、管理サーバ１４０は、図６に示すように、コンピュータ内部にてデータの送受を行うデータバス１４１に、該管理サーバ１４０が実施する各遊技場にて使用される会員カードやビジターカードに残存する度数や使用度数、発行度数や入金度数の管理を行うための処理や、各遊技場に配送される仮会員カードに記録されている仮会員ＩＤを含む発送情報や、新規会員登録者に発行されている仮会員カードに記録されている仮会員ＩＤとともに、当該新規会員登録者の会員属性情報並びに当該新規会員登録者に発行される会員カードに記録された会員ＩＤと会員カードＩＤとを含む会員登録情報や、サイトにて受付けた変更に関する情報を含む変更情報等を含む運用情報を配信する配信処理等の各種処理等を行うＣＰＵ１４２、処理時の一時記憶領域等として使用されるＲＡＭ１４３、会員属性情報や遊技場に発送する仮会員カードや新規会員登録者に発送する会員カードに関する情報等を入力するための入力手段としてのキーボードやマウス等の入力装置１４４、磁気ディスクや光磁気ディスクから成る記憶装置１４５、各種情報を表示出力する表示装置１４６、通信回線１１を通じて各遊技場に設置されたシステムコントローラ１００とのデータ通信を行うためのデジタルサービスユニット（ＤＳＵ）１４８、サイトサーバ１４との双方向のデータ通信を行うための通信部１４９、が接続された処理能力に優れた通常のコンピュータである。
【００５３】
また、記憶装置１４５には、管理サーバ１４０が実施する各種処理内容が記述された処理プログラムに加えて、会員カードＩＤに対応付けて会員カードに残存する度数や会員カードやビジターカードへの入金額等のデータが記憶される記録媒体管理ＤＢや、各遊技場を識別可能とするために各遊技場に固有に付与された遊技場ＩＤに対応付けて、前記ＤＳＵ１４８並びに通信回線１１を通じてシステムコントローラ１００との通信接続を実施するための接続用情報が記憶される遊技場テーブルと、図７に示すように、各遊技場ＩＤ毎に、仮会員ＩＤ、会員ＩＤ、会員カードＩＤ、暗証番号、会員の氏名（名字並びに名前）、性別、年齢、誕生日、職業、住所、電子メールアドレスとともに、仮会員ＩＤを含む前記発送情報の送信状況（発送情報が送信されている場合には「済」が登録される）や、会員カードの発行状況（発行済みの場合には「済」が登録される）や、会員登録情報の送信状況（会員登録情報が送信されている場合には「済」が登録される）が対応付けて登録（記憶）される会員情報データベース（ＤＢ）とが記憶されている。
【００５４】
次いで、本発明における変更受付手段を成すサイトサーバ１４の構成について説明すると、本実施例のサイトサーバ１４は、図６に示すように、コンピュータ内部にてデータの送受を行うデータバス１８１に、該サイトサーバ１４が実施するサイト用の各種データの送受を行う処理や、既に発行済みの会員カードを所持する会員遊技者から既に登録されている会員属性情報の変更或いは追加を受付ける変更受付処理等を行うＣＰＵ１８２、処理時の一時記憶領域等として使用されるＲＡＭ１８３、サイト用のＨＴＭＬデータや処理プログラム等が記憶されている磁気ディスクや光磁気ディスクから成る記憶装置１８４、前記管理サーバ１４０とのデータ通信を行う第１通信部１８８、インターネット網を介してアクセス者の情報端末とのデータ通信を行う第２通信部１８９、が接続された通常のコンピュータである。
【００５５】
次いで、本実施例において会員カードが会員遊技者に発行されるまでの流れについて、以下に説明する。
【００５６】
まず、遊技場は、新規会員登録者に発行する会員カードの代用となる仮会員カードを前記カード管理会社に発注することで、カード管理会社から仮会員カードが当該遊技場に配送される。そして、これら遊技場に納入される各仮会員カードに記録されている仮会員ＩＤと当該会員カードが納入される遊技場の遊技場ＩＤ等の納入情報が、前記入力装置１４４より入力されることで、該入力された仮会員ＩＤが、該仮会員ＩＤとともに入力された遊技場ＩＤに納入される未発行の仮会員カードとして会員情報データベースに登録されるとともに、図１０に示すように、該入力された遊技場ＩＤにて特定される遊技場に設置されている前記システムコントローラ１００に対して、営業前の所定時間に各営業日毎に送信される運用情報に含まれる形態にて、前記納入される各仮会員カードの仮会員ＩＤを含む発送情報が配信される。尚、これら発送情報を配信した場合には、該配信した発送情報に含まれる仮会員ＩＤに対応する前記会員情報データベースの発送情報の項目が「済」に更新される。
【００５７】
この発送情報を含む運用情報を受信したシステムコントローラ１００は、運用情報に含まれる発送情報を会員管理コンピュータ１２０に送信することで、会員管理コンピュータ１２０は、該受信した発送情報に含まれる全ての仮会員ＩＤを前記会員情報テーブルの仮会員ＩＤに登録するとともに、これら登録した各仮会員ＩＤに対応する「仮カード」の項目に「使用可」を登録することで、当該仮会員ＩＤが記録された仮会員カードを当該遊技場で使用できるようにする。
【００５８】
会員登録を希望する遊技者が、遊技場において会員登録の希望を申し出ると、遊技場の係員から支給される申込書に、会員登録に必要な会員属性情報、具体的には前記会員情報テーブルに登録される氏名、性別、年齢、誕生日、職業、住所、電子メールアドレス等の情報と、暗証番号を記載して遊技場の係員に提出する。
【００５９】
該申込書の提出により、遊技場の係員は、カード管理会社から配送された仮会員カードから任意の１枚を取り出し、当該仮会員カードに表示されている当該仮会員カードに記録された仮会員ＩＤを申込書に記載した後、当該仮会員カードを新規会員登録者に対して手渡して発行する。この際、会員情報テーブルにおける該手渡された仮会員カードの仮会員ＩＤに対応する「仮カード」の項目には、既に「使用可」が登録されていることで、該手渡された仮会員カードを新規会員登録者はすぐに使用することができる。尚、申込書はカード管理会社へ送付される。
【００６０】
この仮会員カードは、当該仮会員カードに記録されている仮会員ＩＤが前記会員情報テーブルに既に登録されていて使用可能とされていることにより、該仮会員カードをカードユニット３にてすぐに使用することができるとともに、該仮会員カードを所持する新規会員登録者に対して発行された正規の会員カードがカードユニット３にて受付けられるか、或いは会員カードの会員ＩＤや会員帰属情報が会員情報テーブルに登録されて所定期間が経過することにより前記会員情報テーブルの「仮カード」の登録内容が「使用不可」とされるまでの間、当該仮会員カードをカードユニット３にて使用することができる。
【００６１】
この仮会員カードの使用処理を、図９に基づいて説明すると、当該仮会員カードが前記カード挿入口３０９に挿入された場合には、カードリーダライタ３２７が、該挿入された仮会員カードから仮会員ＩＤを読み出して制御ユニット３２８に出力することで、制御ユニット３２８は、該読み出した仮会員ＩＤと装置ＩＤとを含む仮会員カード受付け通知を通信部３３４より送信する。
【００６２】
該仮会員カード受付け通知の送信を受けて会員管理コンピュータ１２０は、送信されてきた仮会員ＩＤが会員情報テーブルに存在するか否かを照合判定するとともに、仮会員ＩＤが存在する場合には、会員情報テーブルに該仮会員ＩＤに対応して記憶されている「仮カード」の登録内容が「使用可」であるかを判定し、該判定結果をカードユニット３に送信する。尚、「仮カード」の登録内容が「使用可」である場合には、「来店ポイント」に所定の大きさの来店ポイントを加算更新する。
【００６３】
カードユニット３の制御ユニット３２８は、該受信した判定結果が使用不可である場合には受付けた仮会員カードを返却し、該受信した判定結果が使用可である場合には、会員カードの挿入において操作が有効となるデータスイッチ３１８の操作や再プレイスイッチ３１９の操作を有効とすることで、遊技者が表示部３１２にデータ画面（図示略）を表示させることが可能とされるとともに、再プレイが有効とされる。
【００６４】
そして、会員管理コンピュータ１２０は、使用可否の判定結果が使用可である場合には、登録状況に「既」が登録されているかを特定し、「既」が登録されている場合には、既に当該遊技者に正規の会員カードがカード管理会社から郵送されて当該遊技者が正規の会員カードを所持している場合があることから、会員カードの使用を喚起するためのメッセージを表示させるための報知通知をカードユニット３に送信することにより、カードユニット３において、表示部３１２に会員カードの使用を喚起するためのメッセージ、例えば「会員カードをお持ちの場合は、会員カードをご利用下さい。」が、画面下方にスクロール表示される。
【００６５】
この仮会員カードを使用しての再プレイ処理について説明すると、該再プレイ処理は、後述する会員カードを使用しての再プレイとほぼ同一であり、会員遊技者が前記再プレイスイッチ３１９を押圧操作することで、暗証番号の入力画面が表示部３１２に表示されて暗証番号の受付けが実施されるとともに、該受付けた暗証番号と仮会員カードから読み出された仮会員ＩＤと装置ＩＤとを含む貯玉抽出要求が会員管理コンピュータ１２０に送信される。
【００６６】
該貯玉抽出要求の受信に基づいて会員管理コンピュータ１２０は、貯玉抽出要求に含まれる仮会員ＩＤに対応して前記会員情報テーブルに記憶されている暗証番号と、貯玉抽出要求に含まれる暗証番号とを照合し、該照合において双方の暗証番号が一致した場合において、該仮会員カードの使用を許容する認証処理を実施し、貯玉抽出要求に含まれる仮会員ＩＤに対応して登録されている貯蓄玉数を抽出してカードユニット３の制御ユニット３２８に返信する。
【００６７】
該返信に基づいて制御ユニット３２８は、返信されてきた貯蓄玉数に該当する再プレイ回数を算出し、該算出した再プレイ回数と貯蓄玉数とを表示部３１２に表示する。
【００６８】
この段階にて会員遊技者が前記再プレイボタン３１９を操作すると、再プレイ回数が存在する場合に前記貸出処理の場合と同様にパチンコ球の払出（払戻）が対応するパチンコ機２より実施されることで、遊技者は、一度遊技にて獲得した貯蓄玉数を再度遊技に使用することができる。
【００６９】
そして、このパチンコ球の払出（払戻）が完了した際に制御ユニット３２８は、前記表示部３１２に表示している再プレイ回数から１を減算表示するとともに、該１回の再プレイに対応する貯蓄玉数を表示部３１２に表示している貯蓄玉数から減算表示する。そして、これら払戻した貯蓄玉数である払戻玉数と、仮会員ＩＤと、カードユニット３の装置ＩＤとを含む払戻完了情報を会員管理コンピュータ１２０に送信する。
【００７０】
この払戻完了情報の受信に基づいて会員管理コンピュータ１２０は、払戻完了情報に含まれる仮会員ＩＤに対応して会員情報テーブルに記憶されている貯蓄玉数から、払戻完了情報に含まれる払戻玉数を減算更新する。
【００７１】
次いで、仮会員カードを所持する新規会員登録者に正規の会員カードが発行される流れについて説明すると、前記申込書がカード管理会社に送付されることにより、該申込書に記載されている全ての情報、具体的には、遊技場ＩＤ、仮会員ＩＤと、暗証番号、氏名、性別、年齢、誕生日、職業、住所、電子メールアドレス等が管理サーバ１４０の入力装置１４４から入力されるとともに、当該申込書にて会員登録を申し込んだ新規会員登録者に郵送にて発送（発行）される会員カードに記録された会員ＩＤと会員カードＩＤとが入力されることで、該入力された遊技場ＩＤと仮会員ＩＤに対応する前記会員情報データベースの各項目に、入力された会員ＩＤと会員カードＩＤ並びに会員属性情報等の各情報が登録される。
【００７２】
そして、管理サーバ１４０は、これら登録された各情報、具体的には会員ＩＤと会員カードＩＤ、並びに会員属性情報である氏名、性別、年齢、誕生日、職業、住所、電子メールアドレスと、対応する仮会員ＩＤとを含む会員登録情報を、当該仮会員ＩＤに対応する遊技場ＩＤから特定される遊技場に設置されているシステムコントローラ１００への運用情報に含む形態にて送信することで、該運用情報に含まれる会員登録情報が、システムコントローラ１００から会員管理コンピュータ１２０に送信される。
【００７３】
この会員登録情報の受信に基づいて会員管理コンピュータ１２０は、該会員登録情報に含まれる仮会員ＩＤが、前記登録処理によって会員情報テーブルに既に登録されている仮会員ＩＤに一致するか否かを判定し、該判定結果が一致である場合において、該仮会員ＩＤに対応して会員登録情報に含まれる会員ＩＤと会員カードＩＤと会員属性情報とを、当該仮会員ＩＤに対応する遊技関連情報を含む会員情報テーブルの各項目に対応付けて登録するとともに、該登録を実施した仮会員ＩＤに対応する状況の項目に「既」を、登録日にその日の日付を登録することで、当該登録された会員ＩＤと会員カードＩＤが記録されている会員カードの使用が可能とされ、カード管理会社から郵送されてきた会員カードを、新規会員登録者が当該遊技場において使用できるようになる。
【００７４】
一方、前記判定結果が不一致である場合においては、該仮会員ＩＤに対応して会員登録情報に含まれる各情報の会員情報テーブルへの登録を実施しないとともに、該不一致であった会員登録情報に含まれる仮会員ＩＤと不一致である旨の情報を含む不一致通知をシステムコントローラ１００に送信することで、該システムコントローラ１００から管理サーバ１４０に送信される営業情報に含まれる形態にて、会員管理コンピュータ１２０から送信された不一致通知が管理サーバ１４０に送信されることで、管理サーバ１４０は、不一致通知に含まれる仮会員ＩＤを不一致情報として表示することで、カード管理会社側において、会員登録情報の誤送信の可能性を把握できるようになっている。
【００７５】
また、本実施例の遊技用システムにおいては、会員カードを所持する会員遊技者が、会員登録時の会員属性情報に変更が生じたり、新たに電子メールアドレスを取得した場合等のように、追加事項が生じた場合には、これらの変更内容や追加事項の登録を前記サイトサーバ１４によるサイトにおいて実施できるようになっている。
【００７６】
これら会員属性情報の変更や追加の処理の流れを図１１に基づいて説明すると、会員遊技者は、自分が所有するパソコン１５からサイトサーバ１４のサイトにおける登録内容変更のページにアクセスして、自分が所有する会員カードに表示されている遊技場ＩＤと会員ＩＤとを暗証番号とともに入力する。
【００７７】
この入力に基づいて、該入力された暗証番号と会員ＩＤと遊技場ＩＤと照合を要求する旨とを含む照合要求が、サイトサーバ１４から管理サーバ１４０に送信されることで、管理サーバ１４０は、照合要求に含まれる遊技場ＩＤと会員ＩＤが会員情報データベースに存在するか否かとともに、存在する場合には、該遊技場ＩＤと会員ＩＤとに対応して会員情報データベースに登録されている暗証番号と照合要求に含まれる暗証番号とを比較照合し、照合が一致した場合において該遊技場ＩＤと会員ＩＤとに対応して会員情報データベースに登録されている会員属性情報を抽出してサイトサーバ１４に送信する。
【００７８】
この会員属性情報の送信を受けて、サイトサーバ１４は、該会員属性情報が表示された変更受付けページを会員遊技者が所有するパソコン１５に配信して変更、または追加を受付け、該受付けた変更（追加）のあった会員属性情報を遊技場ＩＤと会員ＩＤとともに更新情報として管理サーバ１４０に送信する。
【００７９】
この更新情報の送信を受けて管理サーバ１４０は、該更新情報に含まれる変更（追加）のあった会員属性情報に基づいて、会員情報データベースにて遊技場ＩＤと会員ＩＤとに対応して登録されている会員属性情報を更新するとともに、対応する会員ＩＤを特定し、該特定した会員ＩＤと変更（追加）のあった会員属性情報とを含む変更情報を、更新情報に含まれる遊技場ＩＤから特定される遊技場に設置されているシステムコントローラ１００への運用情報に含む形態にてシステムコントローラ１００に送信することで、該運用情報に含まれる変更情報が、システムコントローラ１００から会員管理コンピュータ１２０に送信される。
【００８０】
この変更情報の受信に基づいて会員管理コンピュータ１２０は、該変更情報に含まれる会員ＩＤに対応して会員情報テーブルに記憶されている会員属性情報を、変更情報に含まれる変更（追加）のあった会員属性情報に基づいて変更することで、前記サイトサーバ１４にて受付けた変更内容が、管理サーバ１４０並びに会員管理コンピュータ１２０に反映される。
【００８１】
このようにして新規会員登録者に郵送にて発送（発行）された会員カードを本実施例の遊技用システムにおいて使用する際の処理について、図８に基づいて説明すると、カードユニット３のカード挿入口３０９へ会員カードが挿入された場合には、カードリーダライタ３２７が、該挿入された会員カードから会員ＩＤ、会員カードＩＤ、度数、入金（プリペイド）ＩＤとを読み出して一時記憶するとともに、会員カードＩＤ、度数、装置ＩＤ、入金（プリペイド）ＩＤとを含む使用許諾要求を前記システムコントローラ１００へ送信する。
【００８２】
システムコントローラ１００は、使用許諾要求の受信に基づき、受信した会員カードＩＤと該会員カードＩＤ並びに入金ＩＤとに対応して登録管理されている残存度数の照合や使用不可フラグの登録の有無に基づく認証を実施し、認証がＯＫであれば使用許諾をカードユニット３に返信する使用可否の判定処理を実施する。
【００８３】
前記カードユニット３（カードリーダライタ３２７）が使用許諾を受信した場合には、挿入された会員カードを使用可能とし、前記読み出した会員カードＩＤと度数とを制御ユニット３２８に出力することで、制御ユニット３２８は、会員管理コンピュータ１２０に対して受付けた会員カードから読み出した会員ＩＤと装置ＩＤとを含む会員カード受付け通知を通信部３３４より送信する。
【００８４】
該会員カード受付け通知の送信を受けて会員管理コンピュータ１２０は、送信されてきた会員ＩＤが会員情報テーブルに存在するか否かを判定し、存在する場合においては、当該会員ＩＤに対応するポイントに１００ポイントを加算更新した後、会員カード取込応答（図示略）を返信する。一方、送信されてきた会員ＩＤが会員情報テーブルに存在しない場合には、会員カード排出応答（図示略）を返信して受付けた会員カードを返却させるとともに、当該会員ＩＤに対応する会員登録情報が管理サーバ１４０から何らかの理由で配信されてきていないものと判定して、当該会員ＩＤに対応する会員属性情報を含む会員登録情報の配信を要求する会員属性情報配信要求を管理サーバ１４０に対して送信する。
【００８５】
前記会員カード取込応答の受信に基づいて制御ユニット３２８は、カードリーダライタ３２７から出力されて記憶している度数を表示部３１２並びにパチンコ機２に設けられた度数表示部（図示略）に表示し、該度数表示部の近傍に設けられた貸出ボタンスイッチ（図示略）の押圧操作待ちとなる。尚、会員カード排出応答を受信した場合には、制御ユニット３２８は、て受付けた会員カードを会員カード挿入口３０９から排出、返却する。
【００８６】
この操作待ち段階において、遊技者が前記貸出ボタンスイッチを押圧操作した場合においては、残度数が「０」か否かの判定を実施した後、前記制御ユニット３２８は、前記パチンコ機２より出力される貸出可能を示す信号の有無を判定し、貸出可能の信号出力がある場合において、１度数に対応する所定数のパチンコ球の払出を指示するための信号を、貸出単位として設定されている度数の大きさとなるまで繰返し出力する貸出処理を実施する。
【００８７】
これら払出を指示するための信号の出力回数が貸出単位として設定されている度数の大きさに対応する回数に達した場合には、制御ユニット３２８が貸出単位として設定されている度数（使用度数）をカードリーダライタ３２７に出力することで、該カードリーダライタ３２７に一時記憶されている残度数から該使用度数分が減算更新されるとともに、会員カードＩＤと入金（プリペイド）ＩＤと装置ＩＤと使用度数とを含む会員貸出完了情報がシステムコントローラ１００に対して送信され、システムコントローラ１００にて管理されている当該会員カードの残存度数が減算更新される。
【００８８】
これら遊技によって前記残度数が０度数になった場合、具体的には残度数が０度数になった会員カードが挿入中である場合に、本実施例のカードユニット３においては、前記紙幣挿入口３０２、硬貨投入口３０３より紙幣或いは硬貨を投入して、該挿入中の会員カードに対する追加入金（入金処理）を実施できるようになっている。
【００８９】
次いで、前記カード挿入口３０９に会員カードが挿入された場合に実施可能となる再プレイ処理について説明すると、再プレイを実施する場合には、会員遊技者が前記再プレイスイッチ３１９を押圧操作することで、暗証番号の入力画面が表示部３１２に表示されて暗証番号の受付けが実施されるとともに、該受付けた暗証番号と会員カードから読み出された会員ＩＤと装置ＩＤとを含む貯玉抽出要求が会員管理コンピュータ１２０に送信される。
【００９０】
該貯玉抽出要求の受信に基づいて会員管理コンピュータ１２０は、貯玉抽出要求に含まれる会員ＩＤに対応して前記会員情報テーブルに記憶されている暗証番号と、貯玉抽出要求に含まれる暗証番号とを照合し、該照合において双方の暗証番号が一致した場合において、該会員カードの使用を許容する認証処理を実施し、貯玉抽出要求に含まれる会員ＩＤに対応して登録されている貯蓄玉数を抽出してカードユニット３の制御ユニット３２８に返信する。
【００９１】
該返信に基づいて制御ユニット３２８は、返信されてきた貯蓄玉数に該当する再プレイ回数を算出し、該算出した再プレイ回数と貯蓄玉数とを表示部３１２に表示する。
【００９２】
この段階にて前記再プレイボタン３１９を操作すると、再プレイ回数が存在する場合に前記貸出処理の場合と同様にパチンコ球の払出（払戻）が対応するパチンコ機２より実施されることで、遊技者は、一度遊技にて獲得した貯蓄玉数を再度遊技に使用することができる。
【００９３】
このパチンコ球の払出（払戻）が完了した際に制御ユニット３２８は、前記表示部３１２に表示している再プレイ回数から１を減算表示するとともに、該１回の再プレイに対応する貯蓄玉数を表示部３１２に表示している貯蓄玉数から減算表示する。そして、これら払戻した貯蓄玉数である払戻玉数と、会員ＩＤと、カードユニット３の装置ＩＤとを含む払戻完了情報を会員管理コンピュータ１２０に送信する。
【００９４】
この払戻完了情報の受信に基づいて会員管理コンピュータ１２０は、払戻完了情報に含まれる会員ＩＤに対応して会員情報テーブルに記憶されている貯蓄玉数から、払戻完了情報に含まれる払戻玉数を減算更新する。
【００９５】
以上説明したように、本実施例の遊技用システムによれば、集中管理装置である管理サーバ１４０を運営するカード管理会社において、入力手段である入力装置１４４から入力された会員属性情報が、各遊技場に設けられている管理装置である会員管理コンピュータ１２０に配信されて前記会員情報記憶手段である会員情報テーブルに記憶されるようになるため、これら会員属性情報を各遊技場において入力する必要がなく、よって会員登録に必要な各遊技場の手間を大幅に省くことができ、これら会員用の遊技用システムの導入を促進することができる。
【００９６】
また、本実施例の遊技用システムによれば、会員登録を希望する遊技者に、正規の会員用記録媒体である会員カードが発行されるまでの期間において、会員カードの代用となる仮会員用記録媒体である仮会員カードの遊技用装置であるカードユニット３における使用が会員管理コンピュータ１２０が実施する使用許容処理にて許容されることで、遊技者は該仮会員カードを遊技用装置であるカードユニット３にて使用することができるようになり、会員カードを使用することで利用可能となる会員サービスを、仮会員カードを用いてすぐに利用できる。
【００９７】
また、本実施例の遊技用システムによれば、前記会員情報記憶手段である前記会員情報テーブルに、前記仮会員用記録媒体である仮会員カードが前記遊技用装置であるカードユニット３にて使用されたことにより発生する遊技関連情報であるポイントや貯蓄玉数が、当該使用された仮会員カードに記録された仮会員ＩＤに対応付けて記憶されるので、仮会員カードを使用した期間に発生した遊技関連情報であるポイントや貯蓄玉数についても、漏れなく管理することができる。
【００９８】
また、本実施例の遊技用システムによれば、管理サーバ１４０から配信されてきた会員登録情報に含まれる仮会員ＩＤと、会員情報テーブルに既に登録されている仮会員ＩＤとが一致しない場合には、仮会員ＩＤが一致しない旨を示す不一致通知が集中管理装置である管理サーバ１４０に送信されることから、誤った仮会員ＩＤを含む会員登録情報の送信があったことを管理サーバ１４０にて把握でき、これら誤った会員登録情報の送信に対する対処を確実に実施することができる。
【００９９】
また、本実施例の遊技用システムによれば、予め定められた所定条件である１ヶ月が経過するまでの間、仮会員カードをカードユニット３にて使用できるため、仮会員カードから正規の会員カードへの切換に伴うトラブルを低減できる。
【０１００】
また、本実施例の遊技用システムによれば、前記予め定められた所定条件の１つを、会員カードがカードユニット３にて受付けらることとし、当該受付けた会員カードの会員ＩＤが会員管理コンピュータ１２０に送信されて「仮カード」の項目の登録状況が使用可から使用不可に更新されて仮会員カードの使用が不可とされるようになっており、このようにすることは、遊技者が会員用記録媒体である会員カードを所持していることを確実に把握して、仮会員カードの使用を不可とするため、仮会員カードから正規の会員カードへの切換に伴うトラブルをより一層低減できる。
【０１０１】
また、本実施例の遊技用システムによれば、仮会員カードをカードユニット３に挿入した場合に、当該仮会員カードの仮会員ＩＤに対応する登録状況が「既」である場合には、報知通知がカードユニット３に送信されて会員カードに使用を喚起するメッセージが表示部３１２に表示されるようになるため、遊技者に、既に会員カードが発行されている可能性があることを認識させることができる。
【０１０２】
また、本実施例の遊技用システムによれば、発送情報が管理サーバ１４０から会員管理コンピュータ１２０に配信されて、該発送情報に含まれる仮会員ＩＤが会員情報テーブルに登録されるようになるため、遊技場に配送される仮会員カードに記録されている仮会員ＩＤを、遊技場において入力する手間を省くことができ、これら仮会員カードを使用するこれらのシステムの導入を更に促進することができる。
【０１０３】
また、本実施例の遊技用システムによれば、カードユニット３にて受付けた会員カードから読み出された会員ＩＤに一致する会員ＩＤの照合が得られないときには、管理装置である会員管理コンピュータ１２０から集中管理装置である管理サーバ１４０に対して会員属性情報配信要求が送信されることで、管理サーバ１４０側において会員属性情報の入力漏れの有無等を遅滞なく確認できるようになる。
【０１０４】
また、本実施例の遊技用システムによれば、遊技者から当該遊技者の会員属性情報の変更をサイトサーバ１４にて直接受付けることができるようになるため、管理サーバ１４０にて会員属性情報の変更内容を入力する手間を省くことができるとともに、入力ミスも低減でき、更には、遊技者の利便性を高めることができる。
【０１０５】
以上、本発明の実施形態を図面により前記実施例にて説明してきたが、本発明はこれら実施例に限定されるものではなく、本発明の主旨を逸脱しない範囲における変更や追加があっても本発明に含まれることは言うまでもない。
【０１０６】
例えば、前記実施例では、集中管理装置である管理サーバ１４０と、管理装置である会員管理コンピュータ１２０とが、システムコントローラ１００を介して接続された形態としており、このようにすることは、既存の配信手段を利用することで、新たな通信回線等を設ける必要がないことから好ましいが、本発明はこれに限定されるものではなく、これら管理サーバ１４０と会員管理コンピュータ１２０とを直接接続するようにしても良い。
【０１０７】
また、前記実施例では、遊技用装置であるカードユニット３が、貸出処理や再プレイ処理や追加入金処理を実施するようにしているが、本発明はこれに限定されるものではなく、これらのいずれか１つあるいは２つの処理機能を有するものであっても良いし、更には、これらのいずれの処理機能を有することなく、例えば、会員カードを挿入することで、会員カードに記録された記録情報である会員識別情報（会員ＩＤ）により会員カードが挿入されたものとの判断に基づいて、対応する台の遊技情報を表示する遊技情報表示処理機能を有するものであっても良く、これら遊技用装置が有する処理機能としては、会員カードに記録された記録情報に基づくものであれば任意のものとすることができる。
【０１０８】
また、前記実施例では、仮会員カードを発行し、該仮会員カードをすぐに遊技に使用できるようにしているが、本発明はこれに限定されるものではなく、これら仮会員カードを発行しない構成としても良い。
【０１０９】
また、前記実施例では、会員登録を実施した新規会員登録者に会員カードを郵送にて発送（発行）しているが、本発明はこれに限定されるものではなく、これらの会員カードを、会員カードの手渡しが可能であることを電子メールにて通知すること等により、遊技場にて手渡すようにしても良い。
【０１１０】
また、前記実施例では、管理サーバ１４０の入力装置１４４から、新規会員登録者に発行される会員カードに記録された会員ＩＤを入力するようにしているが、本発明はこれに限定されるものではなく、これら会員ＩＤを、管理サーバ１４０が会員登録情報の入力に際して生成し、該生成した会員ＩＤを会員カードに記録するようにしても良い。
【０１１１】
また、前記実施例では、仮会員ＩＤと会員ＩＤとを個別のものとしているが、本発明はこれに限定されるものではなく、例えばカード管理会社にて申込書に記載された仮会員ＩＤを会員カードに会員ＩＤとして記録し、該会員カードを遊技場に配送するとともに、前記報知通知において、正規の会員カードとの交換を促すメッセージを表示して、仮会員カードと会員カードを交換するようにしても良い。
【０１１２】
また、前記実施例では、仮会員カードの使用を不可とする予め定められた条件を、会員ＩＤや会員属性情報の登録から１ヶ月が経過或いは、会員カードがカードユニット３に受付けられることとしているが、本発明はこれに限定されるものではなく、これらの条件を、例えば、会員ＩＤや会員属性情報の登録から１週間としたり、或いは会員ＩＤや会員属性情報の登録から所定回数に達するまでとしても良く、これらの条件は適宜に選択すれば良い。
【０１１３】
また、前記実施例では、会員カードの使用を喚起するメッセージを表示部３１２に表示することで遊技者に報知するようにしているが、本発明はこれに限定されるものではなく、これらのメッセージを音声出力にて報知したり、ランプの点灯により報知するようにしても良く、これら報知の形態は適宜に選択すれば良い。
【０１１４】
また、前記実施例では、発送情報により、遊技場に納入される仮会員カードの仮会員ＩＤが、会員情報テーブルに自動的に登録されるようにしているが、本発明はこれに限定されるものではなく、これら仮会員ＩＤの入力を、例えば、納入される全仮会員カードを、会員管理コンピュータ１２０にカードリーダライタを設け、該カードリーダライタに挿入して未発行の仮会員カードの仮会員ＩＤとして入力するようにしても良い。
【０１１５】
また、前記実施例では、会員カードである会員用記録媒体をＩＣカードとしているが、本発明はこれに限定されるものではなく、これら会員用記録媒体に用いる記録媒体は、会員識別情報である会員ＩＤを読み取り可能に記録できるものであれば、任意のものを使用することができる。
【０１１６】
また、前記実施例では、仮会員カードである仮会員用記録媒体を磁気カードとしているが、本発明はこれに限定されるものではなく、これら仮会員用記録媒体に用いる記録媒体は、仮会員識別情報である仮会員ＩＤを読み取り可能に記録でき、前記会員用記録媒体の代用とできるものであれば、任意のものを使用することができる。
【０１１７】
また、前記実施例では、管理サーバ１４０とサイトサーバ１４とを、セキュリティ性の向上の観点から個別に設けているが、本発明はこれに限定されるものではなく、これら管理サーバ１４０とサイトサーバ１４とを１つのサーバにて構成しても良い。
【０１１８】
また、遊技場内に、これらサイトサーバ１４にアクセス可能な専用端末を設置して、該専用端末から登録情報の変更を実施できるようにしても良い。
【０１１９】
また、前記実施例では、会員登録情報や発送情報並びに変更情報を、運用情報や営業情報に含む形態にて送受信するようにしているが、本発明はこれに限定されるものではなく、これらの各情報の送信を、運用情報や営業情報に含まずに、個別に送受信するようにしても良い。
【０１２０】
また、前記実施例では、会員管理コンピュータ１２０が貯蓄玉数の管理を実施しているが、本発明はこれに限定されるものではなく、これら貯蓄玉数の管理を会員管理コンピュータ１２０とは個別の管理装置にて実施するようにしても良い。
【０１２１】
また、前記実施例では、遊技者が会員登録や会員属性情報の変更を受け付ける遊技者側の情報端末としてパソコン１５を例示しているが、これら情報端末としてインターネットへの接続機能を有する携帯電話やＰＤＡ等を適用しても良い。
【０１２２】
前記各実施例における各要素は、本発明に対して以下のように対応している。
本発明の請求項１は、各遊技場に設けられ、会員遊技者を個々に識別可能な会員識別情報（会員ＩＤ）に対応付けて会員遊技者に関する会員属性情報を記憶する会員情報記憶手段（記憶装置１２４；会員情報テーブル）を備える管理装置（会員管理コンピュータ１２０）と、各遊技場に設けられた前記管理装置を集中管理するための集中管理装置（管理サーバ１４０）と、から成り、前記集中管理装置は、会員登録に必要な会員属性情報と、遊技者が会員登録を希望する遊技場を個々に特定可能な遊技場特定情報（遊技場ＩＤ）とを入力するための入力手段（入力装置１４４）と、該入力手段にて入力された会員属性情報と、当該会員属性情報に対応する会員識別情報とを含む会員登録情報を、該会員属性情報に対応して入力された遊技場特定情報から特定される遊技場に設置されている前記管理装置に配信する登録情報配信手段（ＤＳＵ１４８）と、を備え、前記会員情報記憶手段は、前記登録情報配信手段から配信された会員登録情報の受信に基づいて、該受信した会員登録情報に含まれる会員識別情報と会員属性情報とを対応付けて記憶する。
【０１２３】
本発明の請求項２は、前記会員識別情報（会員ＩＤ）が記録された会員用記録媒体（会員カード）或いは該会員用記録媒体の代用となる仮会員用記録媒体（仮会員カード）の記録情報を読み出し、該読み出した記録情報に基づいた処理を行う遊技用装置（カードユニット３）を備え、前記管理装置（会員管理コンピュータ１２０）は、前記仮会員用記録媒体を個々に識別可能な仮会員識別情報（仮会員ＩＤ）を前記会員情報記憶手段（記憶装置１２４；会員情報テーブル）に登録する登録手段（ＣＰＵ１２２；登録処理）と、該登録手段により前記仮会員識別情報が前記会員情報記憶手段に登録されていることを条件に、当該仮会員識別情報が記録されている前記仮会員用記録媒体の前記遊技用装置における使用を許容する使用許容手段（ＣＰＵ１２２；使用許容処理）とを備える。
【０１２４】
本発明の請求項３は、前記会員情報記憶手段（記憶装置１２４；会員情報テーブル）は、前記仮会員用記録媒体（仮会員カード）が前記遊技用装置（カードユニット３）にて使用されたことに関連して発生する遊技関連情報を前記仮会員識別情報（仮会員ＩＤ）に対応付けて記憶し、前記入力手段（入力装置１４４）は、前記会員識別情報（会員ＩＤ）に対応付けて該遊技者に発行された前記仮会員用記録媒体（仮会員カード）に記録されている仮会員識別情報（仮会員ＩＤ）をさらに入力可能とされ、前記登録情報配信手段（ＤＳＵ１４８）は、前記入力手段にて入力された仮会員識別情報をさらに含む前記会員登録情報を配信し、前記会員情報記憶手段（記憶装置１２４；会員情報テーブル）は、前記登録手段（ＣＰＵ１２２；登録処理）により既に登録されている仮会員識別情報のうち、
前記登録情報配信手段から配信された会員登録情報に含まれる仮会員識別情報に対応付けて記憶している前記遊技関連情報と、該配信された会員登録情報に含まれる会員識別情報と会員属性情報とを対応付けて記憶する。
【０１２５】
本発明の請求項４は、前記管理装置（会員管理コンピュータ１２０）は、前記登録手段（ＣＰＵ１２２；登録処理）により前記会員情報記憶手段（記憶装置１２４；会員情報テーブル）に登録された仮会員識別情報（仮会員ＩＤ）と、前記会員登録情報に含まれる仮会員識別情報とが一致しないときに、当該仮会員識別情報が一致しない旨の不一致通知を前記集中管理装置に送信する通知手段（ＣＰＵ１２２；通知処理、通信部１２８）を備える。
【０１２６】
本発明の請求項５は、前記使用許容手段（ＣＰＵ１２２；使用許容処理）は、前記仮会員識別情報（仮会員ＩＤ）に対応する会員識別情報（会員ＩＤ）が前記会員情報記憶手段（記憶装置１２４；会員情報テーブル）に記憶されていても、予め定められた所定条件が成立するまでの間において、当該仮会員識別情報が記録された前記仮会員用記録媒体の前記遊技用装置（カードユニット３）における使用を許容する。
【０１２７】
本発明の請求項６は、前記予め定められた所定条件は、前記遊技用装置（カードユニット３）に前記仮会員識別情報（仮会員ＩＤ）に対応する会員識別情報（会員ＩＤ）が記録された会員用記録媒体（会員カード）を受付けることを含む。
【０１２８】
本発明の請求項７は、前記遊技用装置（カードユニット３）は、受付けた前記仮会員用記録媒体（仮会員カード）から仮会員識別情報（仮会員ＩＤ）を読み出し、該読み出した仮会員識別情報を前記管理装置（会員管理コンピュータ１２０）に送信し、前記管理装置は、前記遊技用装置から前記仮会員識別情報を受信したことに基づいて、該受信した仮会員識別情報に対応して会員識別情報（会員ＩＤ）が記憶されているか否かを判定する判定手段（ＣＰＵ１２２；登録状況判定処理）と、該判定手段によって会員識別情報が記憶されていると判定されたことを条件として、既に会員識別情報が記憶されていることを特定可能な情報（報知通知）を前記仮会員識別情報の送信元の遊技用装置に対して送信する登録済通知送信手段（ＣＰＵ１２２；報知通知送信処理、通信部１２８）と、を備え、
前記遊技用装置は、前記登録済通知送信手段から送信される既に会員識別情報が登録されていることを特定可能な情報の受信に基づいて、前記会員用記録媒体の使用を勧める旨を報知するための報知手段（表示部３１２）を備える。
【０１２９】
本発明の請求項８は、前記集中管理装置（管理サーバ１４０）は、遊技場に配送される前記仮会員用記録媒体（仮会員カード）に記録されている仮会員識別情報（仮会員ＩＤ）と、当該遊技場の遊技場特定情報（遊技場ＩＤ）とを入力するための発送情報入力手段（入力装置１４４）と、該発送情報入力手段にて入力された仮会員識別情報を、当該仮会員識別情報とともに入力された遊技場特定情報から特定される遊技場に設置されている前記管理装置（会員管理コンピュータ１２０）に配信する仮会員識別情報配信手段（ＤＳＵ１４８）と、を備え、前記登録手段（ＣＰＵ１２２；登録処理）は、前記仮会員識別情報配信手段から仮会員識別情報を受信したことに基づいて、該受信した仮会員識別情報を前記会員情報記憶手段（記憶装置１２４；会員情報テーブル）に登録する。
【０１３０】
本発明の請求項９は、前記会員用記録媒体（会員カード）を受付けて該受付けた会員用記録媒体から記録情報を読み出し、該読み出した記録情報に基づいた処理を行うとともに、該会員用記録媒体から読み出した前記会員識別情報（会員ＩＤ）を前記管理装置（会員管理コンピュータ１２０）に対して送信する遊技用装置（カードユニット３）を備え、前記管理装置は、前記遊技用装置から送信される会員識別情報を受信したことに基づいて、前記会員情報記憶手段（記憶装置１２４；会員情報テーブル）に該受信した会員識別情報が記憶されているか否かの照合を行う会員識別情報照合手段（ＣＰＵ１２２；照合判定処理）と、該会員識別情報照合手段において会員識別情報の照合が得られないことを条件に、該会員識別情報並びに該会員識別情報に対応する会員属性情報の配信を要求する旨を含む会員属性情報配信要求を前記集中管理装置（管理サーバ１４０）に対して送信する会員属性情報配信要求送信手段（ＣＰＵ１２２；会員属性情報配信要求送信処理）と、を備える。
【０１３１】
本発明の請求項１０は、前記集中管理装置（管理サーバ１４０）は、通信回線網（インターネット網）を介して接続された遊技者側の情報端末（パソコン１５）から、前記会員識別情報（会員カードＩＤ）と会員属性情報の変更内容とを受け付ける変更受付手段（サイトサーバ１４）と、該変更受付手段にて受け付けた前記会員識別情報と前記会員属性情報の変更内容とを含む変更情報を、前記変更受付手段にて受け付けた前記会員識別情報に対応付けられた遊技場を個々に識別可能な遊技場特定情報（遊技場ＩＤ）から特定される遊技場に設置されている管理装置（会員管理コンピュータ１２０）に配信する変更情報配信手段（ＤＳＵ１４８）と、を備え、前記管理装置は、前記集中管理装置から配信された変更情報の受信に基づいて、該変更情報に含まれる会員識別情報に対応して前記会員情報記憶手段（記憶装置１２４；会員情報テーブル）に記憶されている会員属性情報を、該変更情報に含まれる会員属性情報の変更内容に応じて変更する会員属性情報変更手段（ＣＰＵ１２２；変更処理）を備える。
【図面の簡単な説明】
【０１３２】
【図１】本発明の実施例における遊技用システムの構成を示す図である。
【図２】本発明の実施例において用いたパチンコ機並びにカードユニットの正面図である。
【図３】本発明の実施例におけるカードユニットの構成を示すブロック図である。
【図４】本発明の実施例に用いた会員管理コンピュータの構成を示す図である。
【図５】本発明の実施例に用いた会員情報テーブルを示す図である。
【図６】本発明の実施例に用いた管理サーバとサイトサーバの構成を示す図である。
【図７】本発明の実施例に用いた管理サーバにおける会員情報データベースを示す図である。
【図８】本発明の実施例を構成する各装置における会員カードの使用に伴う処理状況を示す図である。
【図９】本発明の実施例を構成する各装置における仮会員カードの使用に伴う処理状況を示す図である。
【図１０】本発明の実施例を構成する各装置における会員属性情報の登録に関する処理状況を示す図である。
【図１１】本発明の実施例におけるサイトにおける変更受付けに関する処理状況を示す図である。
【符号の説明】
【０１３３】
３        カードユニット
１４      サイトサーバ
１５      パソコン
１００    システムコントローラ
１２０    会員管理コンピュータ
１２２    ＣＰＵ
１２４    記憶装置
１２８    通信部
１４０    管理サーバ
１４２    ＣＰＵ
１４４    入力装置
３１２    表示部
【図１】
2005080744.tif 000003
【図２】
2005080744.tif 000004
【図３】
2005080744.tif 000005
【図４】
2005080744.tif 000006
【図５】
2005080744.tif 000007
【図６】
2005080744.tif 000008
【図７】
2005080744.tif 000009
【図８】
2005080744.tif 000010
【図９】
2005080744.tif 000011
【図１０】
2005080744.tif 000012
【図１１】
2005080744.tif 000013